(57)【要約】【課題】  クランプ式コネクタ盤に対して線材を簡単な操作で着脱できる線材着脱工具を提供する。【解決手段】  ベースブロック１０と、ベースブロック１０に対して直線動可能に組み合わされたハンドルブロック２０と、９０度回転することで薄姿勢−厚姿勢間を変態可能にベースブロック１０に植設されたカム状ビット３１を持つロッド３０と、ハンドルブロック２０のフルストロークの直線動をロッド３０の９０度の回転動に変換するようにハンドルブロック２０とロッド３０とを連結したリンク４０とを有している。カム状ビット３１は、ベースブロック１０に対してハンドルブロック２０を直線的にフルストローク操作することによってリンク４０を介して薄姿勢から厚姿勢に変態してクランプ式コネクタ部のバネ片を所定方向と反対の方向に変形すべく押圧することでバネ片による保持を解除すると共に、この解除状態を維持する。【選択図】      図２
2005302490.tif 000002
【特許請求の範囲】
【請求項１】
導電性を有する端子と所定方向への弾性を有するバネ片とを有し、バネ片の弾性力で線材を端子に対して保持可能なクランプ式コネクタ部が複数配列してなるクランプ式コネクタ盤に対して線材を着脱するための線材着脱工具において、
ベースブロックと、
前記ベースブロックに対して直線動可能に組み合わされたハンドルブロックと、
９０度回転することで薄姿勢−厚姿勢間を変態可能に前記ベースブロックに植設されたカム状ビットを持つロッドと、
前記ハンドルブロックのフルストロークの直線動を前記ロッドの９０度の回転動に変換するように該ハンドルブロックと該ロッドとを連結したリンクとを有し、
前記カム状ビットは、前記ベースブロックに対して前記ハンドルブロックを直線的にフルストローク操作することによって前記リンクを介して前記薄姿勢から前記厚姿勢に変態してクランプ式コネクタ部のバネ片を前記所定方向と反対の方向に変形すべく押圧することでバネ片による保持を解除すると共に、この解除状態を維持するものであることを特徴とする線材着脱工具。
【請求項２】
前記リンクおよび前記ロッドを配列された状態で複数有し、
複数の該ロッドの前記カム状ビットは、前記ベースブロックに対して前記ハンドルブロックを直線的にフルストローク操作することによって複数の前記リンクを介して前記薄姿勢から前記厚姿勢に変態して複数配列されたクランプ式コネクタ部のバネ片を一括して前記所定方向と反対の方向に変形すべく押圧することで複数のバネ片による保持を一括して解除すると共に、これらの解除状態を維持するものである請求項１に記載の線材着脱工具。
【請求項３】
前記カム状ビットは、前記薄姿勢の状態でクランプ式コネクタ部のバネ片に隣接した所定の挿入位置に挿入配置されるものであり、
バネ片は、凸部／凹部を備えており、
前記カム状ビットは、前記挿入位置において前記厚姿勢に移行した際に、該挿入位置からの抜けを防止すべくバネ片の凸部／凹部に係合する凹部／凸部を備えている請求項１または２に記載の線材着脱工具。
【請求項４】
前記ハンドルブロックは、前記カム状ビットの前記厚姿勢のときに前記ベースブロックに対して低操作力でアンロック可能に係止する請求項１乃至３のいずれか１つに記載の線材着脱工具。
【請求項５】
前記カム状ビットは、その頂部に向かうにつれ細くなるテーパ状を呈している請求項１乃至４のいずれか１つに記載の線材着脱工具。
【請求項６】
前記ベースブロックおよび前記ハンドルブロックは、同じ形状に構成された前記線材工具の該ベースブロックおよび該ハンドルブロックと取り外し可能に連結される連結部をそれぞれ備えている請求項１乃至５のいずれか１つに記載の線材着脱工具。
【発明の詳細な説明】
【技術分野】
【０００１】
本発明は、複数のクランプ式コネクタ部が配列してなるクランプ式コネクタ盤に対して複数の線材を着脱するための線材着脱工具に関する。
【背景技術】
【０００２】
図１は、この種のクランプ式コネクタ盤に複数含まれているクランプ式コネクタユニットの一例を示す。クランプ式コネクタユニット６００は、２個のクランプ式コネクタ部を含む列を二列備えており、合計４個のクランプ式コネクタ部を備えている。尚、図１では、クランプ式コネクタユニット６００の内部を透視的に表示している。
【０００３】
図１を参照して、各クランプ式コネクタ部は、クランプ式コネクタユニット６００の絶縁性を有するインシュレータの一部である基部６１０および軸部６２０と、基部６１０に隣接して配置された導電性を有する板金を略Ｌ字状に屈曲してなる端子６３０と、弾性を有する板金帯を巻回して成る略６字状を呈し、軸部６２０に対してこれをとり囲むように装着されたバネ片６４０とを有している。
【０００４】
端子６３０は、Ｌ字の一辺に接点部６３０ａを備えている。また、バネ片６４０は、その端部に孔部６４０ａを備えている。バネ片６４０は、規制が無い場合には弾性によって巻回が拡がる方向に動作する。線材７００は、バネ片６４０の孔部６４０ａ内に挿入され、バネ片６４０の弾性によって端子６３０の接点部６３０ａに押し付けられる。これによって、端子６３０と線材７００との電気的導通がなされる。
【０００５】
クランプ式コネクタ盤に対する線材７００の取り外しならびに装着は、次のように行われている。
【０００６】
クランプ式コネクタ盤に既に複数の線材７００が装着されている場合には、ユーザは、平らなビットを備えたマイナスドライバ６０を基部６１０とバネ片６４０との間に挿入し、マイナスドライバ６０を傾けることでバネ片６４０の巻回を縮めることによってバネ片６４０による線材７００への保持を解いた状態を維持し、この間に線材７００をバネ片６４０の孔部６４０ａから抜き去り、その後、マイナスドライバ６０を抜き去る。以後、各クランプ式コネクタ部毎に、同様の作業を繰り返す。
【０００７】
一方、クランプ式コネクタ盤に複数の線材７００を装着する場合には、ユーザは、マイナスドライバ６０を基部６１０とバネ片６４０との間に挿入し、マイナスドライバ６０を傾けることでバネ片６４０の巻回を縮めることによってバネ片６４０による線材７００への保持を解いた状態を維持し、この間に線材７００をバネ片６４０の孔部６４０ａに挿入し、その後、マイナスドライバ６０を抜き去る。以後、各クランプ式コネクタ部毎に、同様の作業を繰り返す。
【０００８】
このようなクランプ式コネクタ盤は、線材の末端に予め取り付けられた端子をネジによって締結するネジ式配電盤に比べ、マイナスドライバでバネ片を変形させて線材への保持を解除するといったワンタッチ作業で線材を着脱できるため、作業効率に優れている。
【０００９】
尚、ネジ式配電盤に対して複数の線材の端子を一括して着脱するためにネジ式配電盤の複数のネジを一括して締めたり緩めたりするためのドライバ工具が、例えば、特許文献１、２に開示されている。
【００１０】
【特許文献１】実開平１−１５５７３号公報
【特許文献２】特開２００１−１９８８４３号公報
【発明の開示】
【発明が解決しようとする課題】
【００１１】
クランプ式コネクタ盤は、ネジ式配電盤に比べてワンタッチ作業で線材を着脱できるので作業効率に優れている。この利点は、特許文献１、２に開示された従来技術を適用したネジ式配電盤に比べても、依然として云えることである。
【００１２】
しかし、クランプ式コネクタ盤は、バネ片による保持の解除を維持すべくユーザはクランプ式コネクタ部に挿入されたマイナスドライバを傾けた状態を人力で維持しておく必要があるため、操作性の簡便さの点では未だ改善の余地がある。
【００１３】
また、クランプ式コネクタ盤は、複数の線材の着脱作業は各クランプ式コネクタ部毎に行わなければならないため、作業効率の点でも未だ改善の余地がある。このため、クランプ式コネクタ盤に対して複数の線材をより簡単な操作かつ高い作業効率で着脱できる線材着脱工具が要望されている。
【００１４】
それ故、本発明の課題は、クランプ式コネクタ盤に対して線材を簡単な操作で着脱できる線材着脱工具を提供することである。
【００１５】
本発明の他の課題は、クランプ式コネクタ盤に対して線材を高い作業効率で着脱できる線材着脱工具を提供することである。
【課題を解決するための手段】
【００１６】
本発明によれば、導電性を有する端子と所定方向への弾性を有するバネ片とを有し、バネ片の弾性力で線材を端子に対して保持可能なクランプ式コネクタ部が複数配列してなるクランプ式コネクタ盤に対して線材を着脱するための線材着脱工具において、ベースブロックと、前記ベースブロックに対して直線動可能に組み合わされたハンドルブロックと、９０度回転することで薄姿勢−厚姿勢間を変態可能に前記ベースブロックに植設されたカム状ビットを持つロッドと、前記ハンドルブロックのフルストロークの直線動を前記ロッドの９０度の回転動に変換するように該ハンドルブロックと該ロッドとを連結したリンクとを有し、前記カム状ビットは、前記ベースブロックに対して前記ハンドルブロックを直線的にフルストローク操作することによって前記リンクを介して前記薄姿勢から前記厚姿勢に変態してクランプ式コネクタ部のバネ片を前記所定方向と反対の方向に変形すべく押圧することでバネ片による保持を解除すると共に、この解除状態を維持するものであることを特徴とする線材着脱工具が得られる。
【００１７】
本発明によればまた、前記リンクおよび前記ロッドを配列された状態で複数有し、複数の該ロッドの前記カム状ビットは、前記ベースブロックに対して前記ハンドルブロックを直線的にフルストローク操作することによって複数の前記リンクを介して前記薄姿勢から前記厚姿勢に変態して複数配列されたクランプ式コネクタ部のバネ片を一括して前記所定方向と反対の方向に変形すべく押圧することで複数のバネ片による保持を一括して解除すると共に、これらの解除状態を維持するものである前記線材着脱工具が得られる。
【００１８】
本発明によればさらに、前記カム状ビットは、前記薄姿勢の状態でクランプ式コネクタ部のバネ片に隣接した所定の挿入位置に挿入配置されるものであり、バネ片は、凸部／凹部を備えており、前記カム状ビットは、前記挿入位置において前記厚姿勢に移行した際に、該挿入位置からの抜けを防止すべくバネ片の凸部／凹部に係合する凹部／凸部を備えている前記線材着脱工具が得られる。
【００１９】
また、本発明によれば、前記ハンドルブロックは、前記カム状ビットの前記厚姿勢のときに前記ベースブロックに対して低操作力でアンロック可能に係止する前記線材着脱工具が得られる。
【００２０】
さらに、本発明によれば、前記カム状ビットは、その頂部に向かうにつれ細くなるテーパ状を呈している前記線材着脱工具が得られる。
【００２１】
また、本発明によれば、前記ベースブロックおよび前記ハンドルブロックは、同じ形状に構成された前記線材工具の該ベースブロックおよび該ハンドルブロックと取り外し可能に連結される連結部をそれぞれ備えている前記線材着脱工具が得られる。
【発明の効果】
【００２２】
本発明による線材着脱工具は、クランプ式コネクタ盤に対して線材を簡単な操作で着脱でき、また、高い作業効率で着脱できる。
【発明を実施するための最良の形態】
【００２３】
以下、図面を参照して、本発明の実施例による線材着脱工具について詳細に説明する。
【００２４】
図２（ａ）〜（ｄ）、図３、ならびに図４を参照して、本発明の実施例による線材着脱工具は、従来のマイナスドライバと同様に、クランプ式コネクタ盤に対して線材７００を着脱するための線材着脱工具である。クランプ式コネクタ盤は、図１に示したものと同様に、クランプ式コネクタユニット６００の絶縁性を有するインシュレータの一部である基部６１０および軸部６２０と、基部６１０に隣接して配置された導電性を有する板金を略Ｌ字状に屈曲してなる端子６３０と、弾性を有する板金帯を巻回して成る略６字状を呈し、軸部６２０に対してこれをとり囲むように装着されたバネ片６４０とを有し、バネ片６４０の弾性力で線材を端子６３０に対して保持可能なクランプ式コネクタ部が複数配列してなるクランプ式コネクタユニット６００を複数含んでいる。端子６３０は、Ｌ字の一辺に接点部６３０ａを備えている。また、バネ片６４０は、その端部に孔部６４０ａを備えている。バネ片６４０は、規制が無い場合には弾性によって巻回が拡がる方向に動作する。線材７００は、バネ片６４０の孔部６４０ａ内に挿入され、バネ片６４０の弾性によって端子６３０の接点部６３０ａに押し付けられる。これによって、端子６３０と線材７００との電気的導通がなされる。
【００２５】
さて、本線材着脱工具は、ベースブロック１０と、ベースブロック１０に対して直線動可能に組み合わされたハンドルブロック２０と、９０度回転することで薄姿勢−厚姿勢間を変態可能にベースブロック１０に植設されたカム状ビット３１を持つロッド３０と、ハンドルブロック２０のフルストロークの直線動をロッド３０の９０度の回転動に変換するようにハンドルブロック２０とロッド３０とを連結したリンク４０とを有している。
【００２６】
カム状ビット３１は、ベースブロック１０に対してハンドルブロック２０を直線的にフルストローク操作することによって、リンク４０を介して薄姿勢から厚姿勢に変態してクランプ式コネクタ部のバネ片６４０を所定方向と反対の方向に変形すべく押圧することでバネ片６４０による線材７００の保持を解除すると共に、この解除状態を維持する。
【００２７】
本線材着脱工具は、リンク４０およびロッド３０をクランプ式コネクタ部の配列ピッチに対応したピッチで配列された状態で複数有している。複数のロッド３０のカム状ビット３１は、ベースブロック１０に対してハンドルブロック２０を直線的にフルストローク操作することによって、複数のリンク４０を介して薄姿勢から厚姿勢に変態して複数配列されたクランプ式コネクタ部のバネ片６４０を一括して所定方向と反対の方向に変形すべく押圧することで複数のバネ片６４０による保持を一括して解除すると共に、これらの解除状態を維持する。
【００２８】
カム状ビット３１は、特に図３に示すように、その頂部に向かうにつれ細くなるテーパ状を呈している。即ち、マイナスドライバのビットに類似した形状を呈している。これにより、クランプ式コネクタ部の基部６１０とバネ片６４０との間に、容易に挿入可能である。
【００２９】
また、カム状ビット３１は、図３に示すように、薄姿勢の状態でクランプ式コネクタ部のバネ片６４０に隣接した所定の挿入位置に挿入配置される。バネ片６４０は、凸部６４０ｂを備えている。一方、カム状ビット３１は、特に図４に示すように、挿入位置において厚姿勢に移行した際に、この挿入位置からの抜けを防止すべくバネ片６４０の凸部６４０ｂに係合する凹部３１ａを備えている。バネ片６４０は、抜け防止の形状を呈していればよく、バネ片６４０が凹部を呈している場合には、凸部を設ける。あるいは、バネ片６４０が凹凸部を呈している場合には、凸凹部を設ける。
【００３０】
尚、ハンドルブロック２０は、カム状ビット３１の厚姿勢のときにベースブロック１０に対して低操作力でアンロック可能に係止するように構成することが好ましい。この場合には、カム状ビット３１の厚姿勢状態、即ち、クランプ式コネクタ部のバネ片６４０による保持を解除した状態が不要に保持状態に移行してしまうことを防止できる。この係止構造は、図示はしないが、ベースブロック１０およびハンドルブロック２０にそれぞれ凹部／凸部および凸部／凹部を形成する形態、ベースブロック１０とハンドルブロック２０との間にバネで付勢されたベアリング係合構造を設ける形態、あるいは、ベースブロック１０およびハンドルブロック２０にそれぞれマグネットを設ける形態等である。
【００３１】
また、図示はしないが、少なくとも１組のロッド３０およびリンク４０が取り付けられたベースブロック１０およびハンドルブロック２０に、同じ形状に構成された線材工具のベースブロック１０およびハンドルブロック２０と取り外し可能に連結される連結部をそれぞれ設けてもよい。このように構成することで、同様に連結部が設けられ、その他の形状も同一である線材着脱工具を別途更に用意すれば、これら線材着脱工具をエレメントもしくはユニットとして適宜の数量だけ連結することで、対象とするクランプ式コネクタ盤のクランプ式コネクタ部の数量に対応させ、所望の数の着脱を一度に実行できる。また、少数のロッド３０およびリンク４０を備えた線材着脱工具を大量生産したとしても、連結数を調整することで、種々のクランプ式コネクタ部の数量に対応させることが可能になり、応用範囲が広い。
【００３２】
クランプ式コネクタ盤に対する線材７００の取り外しならびに装着は、次のように行われる。
【００３３】
クランプ式コネクタ盤に既に複数の線材が装着されている場合には、ユーザは、図２（ａ）および（ｂ）ならびに図３に示すように（線材は図示していない）、本線材着脱工具のロッド３０のカム状ビット３１を薄姿勢の状態でクランプ式コネクタ部の基部６１０とバネ片６４０との間の所定位置（カム状ビット３１の頂部が基部６１０のくびれ部分に当接する位置）まで挿入した後、ハンドルブロック２０を矢印Ａ方向に直線動させることで、図２（ｃ）および（ｄ）ならびに図４に示すように（線材は図示していない）、カム状ビット３１が厚姿勢に移行し、バネ片６４０の巻回が縮められ、バネ片６４０による線材（図示せず）への保持が解除されると共に、この解除状態が維持される。このとき、バネ片６４０の凸部６４０ｂにカム状ビット３１の凹部が係合するため、不要にカム状ビット３１がバネ片６４０から外れて解除状態が戻ってしまうことがない。そして、この解除状態中に線材をバネ片６４０の孔部６４０ａから抜き去り、その後、ハンドルブロック２０を矢印Ｂ方向に直線動させてカム状ビット３１を薄姿勢の状態にしてから本線材着脱工具をクランプ式コネクタユニット６００から抜き去る。図示の例では、５箇所のクランプ式コネクタ部から線材を一括して抜き去ることができる。
【００３４】
一方、クランプ式コネクタ盤に複数の線材を装着する場合には、ユーザは、図２（ａ）および（ｂ）ならびに図３に示すように、本線材着脱工具のロッド３０のカム状ビット３１を薄姿勢の状態でクランプ式コネクタ部の基部６１０とバネ片６４０との間の所定位置（カム状ビット３１の頂部が基部６１０のくびれ部分に当接する位置）まで挿入した後、ハンドルブロック２０を矢印Ａ方向に直線動させることで、図２（ｃ）および（ｄ）ならびに図４に示すように、カム状ビット３１が厚姿勢に移行し、バネ片６４０の巻回が縮められると共に、この状態が維持される。このとき、バネ片６４０の凸部６４０ｂにカム状ビット３１の凹部が係合するため、不要にカム状ビット３１がバネ片６４０から外れて解除状態が戻ってしまうことがない。そして、この状態中に線材をバネ片６４０の孔部６４０ａに挿入し、その後、ハンドルブロック２０を矢印Ｂ方向に直線動させてカム状ビット３１を薄姿勢の状態にしてから本線材着脱工具をクランプ式コネクタユニット６００から抜き去ると、バネ片６４０の弾性によって線材は端子６３０に押圧されて電気的導通がなされる。図示の例では、５箇所のクランプ式コネクタ部に線材を一括して装着することができる。
【産業上の利用可能性】
【００３５】
以上、具体的な実施例によって本発明を説明したが、本発明は、この実施例に限定はされず、種々の線材着脱工具への適用、変形が当業者にとって可能であることは、云うまでもない。
【図面の簡単な説明】
【００３６】
【図１】クランプ式コネクタ盤に対して線材を着脱する従来の手法を説明するための部分的に透視図示した斜視図である。
【図２】（ａ）〜（ｄ）は、本発明の実施例による線材着脱工具とその使用方法を示す図である。
【図３】本発明の実施例による線材着脱工具の使用方法を示す図である。
【図４】本発明の実施例による線材着脱工具の使用方法を示す図である。
【符号の説明】
【００３７】
１０    ベースブロック
２０    ハンドルブロック
３０    ロッド
３１    カム状ビット
３１ａ  凹部
４０    リンク
６０    マイナスドライバ
６００    クランプ式コネクタユニット
６１０    基部
６２０    軸部
６３０    端子
６３０ａ  接点部
６４０    バネ片
６４０ａ  孔部
６４０ｂ  凸部
７００    線材
【図１】
2005302490.tif 000003
【図２】
2005302490.tif 000004
【図３】
2005302490.tif 000005
【図４】
2005302490.tif 000006